(57)【要約】【課題】特殊景品の不正使用を防止し、より高いセキュリティー性を確保する。【解決手段】管理装置３１は、特殊景品の記憶素子に価値データを書込むと共に使用可否データを使用不可能から使用可能に書換えた際、正当に書込み、書換えを行ったことを示す正当性データを暗号化して書込むと共に、暗号化前の正当性データを照合データとして交換処理装置２１に送信し、交換処理装置２１は特殊景品の記憶素子から正当性データを読取って復号化し、その復号化した正当性データを照合用データと照合して、一致した場合前記特殊景品を購入可能と認める。【選択図】        図１
2006020673.tif 000002
【特許請求の範囲】
【請求項１】
遊戯ホールなどで顧客の遊戯した結果に応じて渡される特殊景品と、この特殊景品には、当該景品の購入金額を示す価値データ、使用の可否を表す使用可否データ及びこれらのデータの正当性を示す正当性データを含む管理データを記録するための記憶素子が設けられ、特殊景品の記憶素子に対して管理データの書込みまたは書換えを行う管理装置と、顧客が持参した特殊景品を受付け、その受付けた特殊景品の記憶素子に書込まれた管理データを読取って該当金額に対応する現金を出金する交換処理装置とを備えた景品管理システムにおいて、
前記管理装置は、特殊景品の記憶素子の使用可否データを「使用可能」と書き換えるとともに、管理装置によりその特殊景品に対する書込みまたは書換えが正当に行われたことを示す正当性データを暗号化して書込み、
前記交換処理装置は、特殊景品を受付けたとき、特殊景品の記憶素子に記録された管理データを読み出し、管理データに含まれる暗号化された正当性データを復号化して正当性を確認するとともに、使用可否データが「使用可能」と記録されていることが確認された場合に特殊景品を購入可能と認め、特殊景品の価値情報に対応した現金を出金するとともに、受付けた特殊景品の使用可否データを「使用不能」に書換えることを特徴とする景品管理システム。
【請求項２】
請求項１記載の景品管理システムにおいて、
前記管理装置は特殊景品の記憶素子に書込まれた管理データのうち正当性データを除く少なくとも１つを用いて演算し前記正当性データを暗号化することを特徴とする景品管理システム。
【請求項３】
請求項１または請求項２記載の景品管理システムにおいて、
前記価値情報は、ＩＣタグに書込まれていることを特徴とする景品管理システム。
【請求項４】
請求項１または請求項２記載の景品管理システムにおいて、
前記価値情報は、特殊景品の形状、大きさなどから判別することを特徴とする景品管理システム。
【請求項５】
請求項１または請求項２記載の景品管理システムにおいて、
前記正当性データの抽出に、乱数表を用いることを特徴とする景品管理システム。
【請求項６】
請求項１または請求項２記載の景品管理システムにおいて、
前記正当性データを暗号化する暗号化キー及び復号化する復号化キーを必要に応じて変更することを特徴とする景品管理システム。
【請求項７】
遊戯ホールなどで顧客の遊戯した結果に応じて渡される特殊景品を取り扱い、この特殊景品には、当該景品の購入金額を示す価値データ、データ、使用の可否を表す使用可否データ及びこれらのデータの正当性を示す正当性データを含む管理データを記録するための記憶素子が設けられており、特殊景品の記憶素子に対して管理データの書込みまたは書換えを行う管理装置において、
前記管理装置が、特殊景品の記憶素子の使用可否データを「使用可能」と書き換え、同時に正当性データの書込みを行うとき、当該特殊景品の記憶素子に対して書込まれる管理データを構成するデータのうち少なくとも一つのデータと、必要に応じて更新される暗号化キーとを用いて演算した結果を正当性データとして書込むことにより、管理装置によりその特殊景品に対する書込みまたは書換えが正当に行われ、記録されているデータが正当であることを示すことを特徴とした管理装置。
【発明の詳細な説明】
【技術分野】
【０００１】
本発明は、遊戯ホール、景品交換所、管理センター、及び景品問屋を巡回流通する特殊景品を管理するための景品管理システム及び管理に関する。
【背景技術】
【０００２】
従来のこの種のシステムとして以下のものがある。
すなわち、パチンコ店などの遊戯ホールで、出玉数等に応じて顧客（遊戯者）に渡される特殊景品に設けられた記憶素子に、当該景品１の供給元である景品問屋を示す問屋コード、当該景品１の供給先である遊戯ホールを示すホールコード、当該景品の購入先である景品交換所を示す景品交換所コード、当該景品１の購入金額を示す価値データ、当該景品の使用の可否を表す使用可否データ等から成る管理データを書込みあるいは書換えておき、この特殊景品を顧客が景品交換所に持参して係員に渡すと、景品交換所の交換処理装置で前記管理データが読取られ、その管理データにおける使用可否データが「使用可能」となっていれば、価値データが示す金額で特殊景品が買い取られる。
【０００３】
買い取られた特殊景品はその記憶素子に書込まれている価値データ等が消去され、使用可否データが交換処理装置により「使用不可」に書き換えられた後、管理センターに直接送られるか景品問屋を経由して管理センターに送られる。
また、交換処理装置は買い取った特殊景品の管理データを集計し、管理センタの管理装置に送信する。
【０００４】
そして、管理センターでは、管理装置により各景品交換所から送られてきた特殊景品の集計データを元に特殊景品の流通状況を把握し、また特殊景品を使用可能にするため価値データ等を書込むと共に、使用可否データの内容を「使用不可」から「使用可」に書換える。
これにより使用可能になった特殊景品は各景品問屋に配送され、更に景品問屋から該当する遊戯ホールに送られて、再び出玉数等に応じて顧客に渡される（例えば、特許文献１参照）。
【特許文献１】特開２００４−９７３１９号公報（段落「００１６」〜段落「００２０」、図１等）
【発明の開示】
【発明が解決しようとする課題】
【０００５】
しかしながら、上述した従来の技術においては、景品交換所で使用可否データが「使用不可」に書換えられた特殊景品に対し、管理センターで「使用可能」に書換えることにより特殊景品を再び使用できるようにしているため、盗難等にあった景品の使用可否データが「使用不可」から「使用可」に改竄されると不正使用されてしまうという問題がある。
本発明は、このような問題を解決することを課題とする。
【課題を解決するための手段】
【０００６】
そのため、本発明は、遊戯ホールで顧客の遊戯した結果に応じて渡される特殊景品に設けられた記憶素子に、当該景品の購入金額を示す価値データ及び使用の可否を表す使用可否データを含む管理データの書込み、書換えを行う管理装置と、景品交換所に顧客が持参した特殊景品の記憶素子から前記管理データを読取ってその価値データが示す金額の現金を出金し、その現金で買い取られた特殊景品に対して前記使用可否データを当該特殊景品の使用を可能にする内容から使用を不可能にする内容に書換える交換処理装置とを備えた景品管理システムにおいて、前記管理装置は、特殊景品の記憶素子に前記価値データを書込むと共に、使用可否データを使用不可能から使用可能にする内容に書換えた際、正当に書込み、書換えを行ったことを示す正当性データを暗号化して書込むと共に、暗号化前の正当性データを照合データとして交換処理装置に送信し、前記交換処理装置は特殊景品の記憶素子から前記正当性データを読取って復号化し、その復号化した正当性データを照合用データと照合して、一致した場合前記特殊景品を購入可能と認めることを特徴とする。
【発明の効果】
【０００７】
このようにした本発明は、交換処理装置で使用可否データが使用不可能にする内容に書換えられた景品が盗難等にあい、使用可否データが使用可能にする内容に書換えられたとしても、暗号化された正当性データの書込みは極めて困難であるため、不正使用を防止することが可能となり、より高いセキュリティー性を確保できるという効果が得られる。
【発明を実施するための最良の形態】
【０００８】
以下、図面を参照して本発明による景品管理システムの実施例を説明する。
【実施例】
【０００９】
図１は実施例のシステム構成図である。
この図に示したように本システムは、出玉数等に応じて顧客（遊戯者）に特殊景品（以下、景品）１を渡すパチンコ店等の遊戯ホール１０に設置されたホール端末１１、景品交換所２０に設置された交換処理装置２１、管理センター３０に設置された管理装置３１、景品問屋４０に設置された問屋端末４１により構成され、これらの端末１１，４１や装置２１，３１は相互にデータの授受を行うことができるようにインターネット等の通信回線５０を介して互に接続されている。
【００１０】
尚、本システムにおけるホール端末１１、交換処理装置２１、管理装置３１、問屋端末４１の数は図示したものに限られるものではない。
図２は前記景品１の記憶素子に書込まれる管理データの例を示す図である。
この図に示したように景品１の記憶素子には、当該景品１の供給先の地域を表す都道府県コード２ａ及び地区コード２ｂ、当該景品１の供給元である景品問屋４０または製造者を表す問屋コード２ｃ、当該景品１の製造年月日２ｄ、当該景品１の使用可能な期限を表す使用期限データ２ｅ、当該景品１の供給先である遊戯ホール１０を示すホールコード２ｆ、当該景品１の購入先である景品交換所２０を示す景品交換所コード２ｇ、当該景品１の購入価値を示す価値データ２ｈ、当該景品１の使用の可否を表す使用可否データ２ｉ等が管理データとして予め書込まれる他、ＩＣタグには製造時に付与されるＩＤ番号２ｋが書込まれており、本発明では価値データ２ｈの書込みや使用可否データ２ｉ等の管理データの書換えが正当に行われたことを示す正当性データ２ｊが書込まれている。価値データ２ｈについては、大・中・小などのサイズを示す情報で代用しても良いし、または特殊景品自体の外形寸法を測定した結果で判別する情報としても良い。
【００１１】
ここで、都道府県コード２ａ、地区コード２ｂ、問屋コード２ｃ、製造年月日２ｄ、使用期限データ２ｅ、ＩＤ番号２ｋは、通常使用開始前に一度書込まれると書換えられることはなく、そのまま保存される。
これに対し、ホールコード２ｆ、景品交換所コード２ｇ、価値データ２ｈは景品交換所２０で交換処理装置２１により消去され、管理センター３０で管理装置３１により再書込みされるデータであり、使用可否データ２ｉは景品交換所２０で交換処理装置２１により「使用可」から「使用不可」に内容が書換えられ、管理センター３０で管理装置３１により「使用不可」から「使用可」に書換えられるものである。
【００１２】
また、正当性データ２ｊは管理装置３１のみが書換え可能なデータであり、この正当性データ２ｊは、管理データのうちの少なくとも１つのデータ、より具体的には当該景品１の製造年月日２ｄ、ＩＤ番号２ｋ、ホールコード２ｆ、問屋コード２ｃの少なくとも１つから管理装置３１が乱数表を用いて複数桁の数字を抽出することによって作成され、書込まれるものとなっている。
【００１３】
この正当性データ２ｊを作成するための乱数表は、事前に交換処理装置２１にも配布されており、交換処理装置２１が景品１を受付けるとき正当性データのチェックに用いられる。またここでは、正当性データの生成のために乱数表を用いる例を説明したが、これに限らず、管理データのうちの少なくとも１つのデータと暗号化キーを用いて正当性データを演算して生成してもよい。
【００１４】
また、景品１が盗難等にあった場合、それを不正利用されないようにするため、正当性データ２ｊの作成や暗号化に用いる前記乱数表や暗号化キーは図示しない上位の装置等から定期的に変更して管理装置３１に配布し、また、暗号化された正当性データを復号化するための復号化キーも定期的に変更して前記上位の装置等から交換処理装置２１に配布するようにする。
【００１５】
図３は交換処理装置２１の構成を示すブロック図である。
この図に示したように交換処理装置２１は、景品交換所２０に顧客が持参した景品１の記憶素子に対して管理データの読取り及び書込みや消去等を行うデータ読取り書込み部２２、このデータ読取り書込み部２２が読取った管理データを基に購入個数や購入金額等を演算する演算処理部２３、演算により求められた景品１の購入数や金額を顧客に表示する顧客表示部２４、同様に景品１の購入数や金額を係員に表示する係員表示部２５、景品１を買い取る現金を出金する現金処理機２６、購入処理した景品１に対する処理内容やその集計データを格納する集計データベース２７、通信回線５０を介して管理センター３０の管理装置３１とデータ授受のための通信を行う通信部２８、これらを制御する制御部２９を備えている。
【００１６】
尚、図示しないが、この他にも正当性データの解読を行うために配布された乱数表や暗号化キーを保管するメモリや、必要に応じて景品購入の明細等を明細票に印字して発行するプリンタ等が設けられる。
図４は管理装置３１の構成を示すブロック図である。
この図に示したように管理装置３１は、当該管理装置３１で処理されたデータや、各景品交換所２０の交換処理装置２１から送られてくる集計データ等の景品管理に必要なデータを蓄積して格納する管理データベース３２と、この管理データベース３２に格納されたデータを参照して全体としての景品１の流通を管理する景品管理部３３、景品１を使用可能にするために景品の記憶素子に対するデータの読取り及びデータの書込みや書換えを行うデータ読取り書込み部３４、通信回線５０を介して各遊戯ホール１０のホール端末１１や各景品交換所２０の交換処理装置２１及び各景品問屋４０の問屋端末４１とデータの授受を行う通信部３５、これらを制御する制御部３６を備えている。
【００１７】
尚、ホール端末１１は、出玉等と交換した景品１の交換数量やその金額、景品問屋４０から納品される景品数量等を管理するもので、一般的なパーソナルコンピュータを用いることができる。
また、問屋端末４１は、景品交換所２０で購入されて戻ってきた景品１の数量や、遊戯ホール１０に納品した景品の数量等を管理するもので、この問屋端末４１も一般的なパーソナルコンピュータを用いることが可能である。
【００１８】
図５は景品の流通を示す図で、この図４及び上述した各図を用いて実施例の作用について説明する。
まず、図２で説明した管理データが記憶素子に書込まれている景品１は遊戯ホール１０で顧客に遊戯結果である出玉数等に応じて渡される。
顧客はこの景品１を景品交換所２０に持参し（図５の矢印Ａ）、景品交換所２０の係員に購入を求める。
【００１９】
この係員が顧客から景品１を受取って、その景品１を交換処理装置２１のデータ読取り書込み部２２にセットすると、データ読取り書込み部２２により景品１の記憶素子から管理データが読取られ、読取られた管理データは制御部２９に送られて図示しないメモリに一時記憶される。
制御部２９は管理データの２ａ〜２ｉの内容をチェックし、その内容が正常であって、現在日が使用期限データ２ｅの示す期限内であり、かつ使用可否データ２ｉの内容が「使用可」である場合、予め配布されている復号化キーにより管理データに含まれる正当性データ２ｊを復号化し、復号化した正当性データ２ｊを図示しないメモリに保管してある照合用データとして、正しい値かどうかつまり正当性データ２ｊと照合用データが一致するかどうかを判断する。
【００２０】
景品が複数の場合、前記管理データの読取りから正当性データ２ｊが正しい値かどうかの判断までの処理が繰り返し行われる。
管理データに問題ある場合、例えば使用期限を過ぎていた場合、あるいは使用可否データ２ｉの内容が「使用不可」である場合、制御部２９は係員表示部２５にその旨を表示して係員に通知し、係員により顧客に購入できないことが伝えられて景品１は顧客に返却される。
【００２１】
また、使用期限に問題がなく、かつ使用可否データ２ｉの内容が「使用可」であっても、正当性データ２ｊが正しい値でなければ制御部２９が当該景品１は不正な購入不可のものと判断して、係員表示部２５にその旨を表示して係員に通知し、係員により顧客に購入できないことが伝えられて景品１は顧客に返却される。
管理データに問題がなく、正当性データ２ｊが正しい値であれば、制御部２９は不正使用ではない正常な景品１と判断して購入可能と認める。
すべての景品１における管理データの読取りが終了すると、制御部２９は前記メモリから景品毎の価値データ２ｈを順次取り出して演算処理部２３に渡し、演算の実行を指示する。
【００２２】
これにより演算処理部２３で景品１の総個数及び各価値データ２ｈが示す金額の合計額が算出されると、制御部２９はその算出された景品１の総個数及び各価値データ２ｈが示す金額の合計額を顧客表示部２４、及び係員表示部２５に表示する。
この表示を見て顧客は自分が持参した景品１の数と合計額を確認することができる。
顧客が合計額での購入を承認した場合、係員が図示しないキーボード等の入力手段を操作して、あるいは係員表示部２５がタッチパネル式である場合は、そのタッチパネルの操作して確認入力を行うと、制御部２９は現金処理機２６に前記合計額の出金を指示し、これに基づいて現金処理機２６は現金を出金する。
【００２３】
出金された現金は係員により顧客に渡され、景品１の購入が終了する。
購入された景品１は係員により再び順次交換処理装置２１のデータ読取り書込み部２２にセットされ、データ読取り書込み部２２により景品１の管理データのうち、ホールコード２ｆ、景品交換所コード２ｇ、価値データ２ｈ、及び正当性データ２ｊが消去され、使用可否データ２ｉの内容が「使用可」から「使用不可」に書換えられる。
【００２４】
尚、制御部２９は、例えば１日毎や１月毎等の景品購入金額の合計や、各遊戯ホール毎あるいは各問屋毎の景品購入数等のデータの集計を前記特許文献（特開２００４−９７３１９号公報）と同様に行い、その集計結果を集計データベース２７に保存する。
集計データベース２７に保存されたデータは、制御部２９により通信部２８から通信回線２０を介して管理センター３０の管理装置３１に送られる。
【００２５】
管理装置３１では、交換処理装置２１からのデータを通信部３５が受信すると、制御部３６がそのデータを管理データベース３２に格納する。
一方、景品交換所２０で買い取られた景品１は、問屋コード２ｃを参照することで景品問屋４０毎に係員の手で振分けられ、景品交換所２０から直接管理センター３０に送られる（図５の矢印Ｂ）か、または該当する景品問屋４０に一旦配送されてから、管理センター３０に送られる（図５の矢印Ｃ，Ｄ）。
【００２６】
管理センター３０では、送られてきた景品１が係員により管理装置３１のデータ読取り書込み部３４にセットされ、データ読取り書込み部３４により記憶素子に対してホールコード２ｆ、景品交換所コード２ｇ、価値データ２ｈの書込みが行われる。
この場合、各景品交換所２０の交換処理装置２１からは、どこの遊戯ホール１０に納品された景品１が何個景品交換所２０で買い取られたか等の集計結果がデータとして通信回線５０を介して管理装置３１に送られてきているので、景品管理部３３がこの集計結果を参照することにより、金額がいくらの景品１をどの遊戯ホール１０に対して何個用意したらよいか等の管理処理を行う、その処理結果に基づいてデータ読取り書込み部３４により前記のように景品１の記憶素子に対してホールコード２ｆ、景品交換所コード２ｇ、価値データ２ｈの書込みが行われる。
【００２７】
このようにホールコード２ｆ、景品交換所コード２ｇ、価値データ２ｈの書込みが行われた景品に対しては、データ読取り書込み部３４で使用可否データ２ｉの内容を「使用不可」から「使用可」に書換える。
このとき、制御部３６は、データ読取り書込み部３４に景品１の記憶素子から管理データとして書込まれている製造年月日２ｄ、ＩＤ番号２ｋ、ホールコード２ｆ、問屋コード２ｃを読取らせ、そのうちの少なくとも１つから乱数表で正当性データ２ｊを抽出して、その正当性データ２ｊを暗号化して書込む。
【００２８】
その後、景品１は問屋コード２ｃを参照することで景品問屋４０毎に区分けされると共に、ホールコード２ｆを参照することで遊戯ホール１０毎に区分けされ、そして価値データ２ｈを参照することで金額ごとに区分けされる。
このようにして区分けされた後、景品１は管理センター３０から該当する景品問屋４０に戻され（図５の矢印Ｅ）、遊戯ホール１０に再び納品される（図５の矢印Ｆ）。
【００２９】
このとき、管理装置３１の景品管理部３３は、遊戯ホール１０や景品問屋４０の各端末１１，４１に集計データや事前の納品数を通知するなどの処理を行う。
以後、上述した処理が繰り返され、景品１は循環使用される。
以上説明した実施例によれば、景品交換所２０の交換処理装置２１で使用可否データ２ｉが「使用不可」に書換えられた景品１が盗難に会い、使用可否データ２ｉが「使用可」に書換えられたとしても、暗号化された正当性データ２ｊの書込みは極めて困難であるため、不正使用を防止することが可能となり、より高いセキュリティー性を確保できるという効果が得られる。
【００３０】
尚、上述した実施例では、正当性データ２ｊは景品１の製造年月日２ｄ、ＩＤ番号２ｋ、ホールコード２ｆ、問屋コード２ｇ等から乱数表を用いて複数桁の数字を抽出することによって作成するものとしたが、これに限られるものではなく、他の方法で作成したものを暗号化して用いるものとしてもよい。
【図面の簡単な説明】
【００３１】
【図１】実施例を示すシステム構成図
【図２】管理データの例を示す図
【図３】交換処理装置を示すブロック図
【図４】管理装置を示すブロック図
【図５】景品の流通を示す説明図
【符号の説明】
【００３２】
１  景品
１０  遊戯ホール
１１  ホール端末
２０  景品交換所
２１  交換処理装置
２２  データ読取り書込み部
２３  演算処理部
２４  顧客表示部
２５  係員表示部
２６  現金処理機
２７  集計データベース
２９  制御部
３０  管理センター
３１  管理装置
３２  管理データベース
３３  景品管理部
３４  データ読取り書込み部
３６  制御部
４０  景品問屋
４１  問屋端末
５０  通信回線
【図１】
2006020673.tif 000003
【図２】
2006020673.tif 000004
【図３】
2006020673.tif 000005
【図４】
2006020673.tif 000006
【図５】
2006020673.tif 000007